(57)【要約】【課題】天井に設置されていてもフィルタの掃除を簡単に行なうことが可能な送風ユニットを提供する。【解決手段】天井に設置される送風ユニット１０１であって、空気を内部に導入するための吸込口１２１が形成されたケーシング１２１ａと、掃除機のノズルを挿入可能な挿入口が形成されたパネルと、空気に含まれる塵埃を捕集するためのフィルタ１２４と、吸引ボックス１２３と、連結シャフトと、シャフトと、ギアと、ラックと、レバーと、バネとを備える。吸引ボックス１２３は、挿入口から挿入された掃除機のノズルの内部空間と連通し且つフィルタ１２４に接触或いは近接する少なくとも１つの開口を有する。連結シャフト、シャフト、ギア、ラック、レバー、及び、バネは、掃除機のノズルの挿入の動きに応じて吸引ボックス１２３が当該ノズルの挿入方向に沿って動くように吸引ボックス１２３を可動支持する。【選択図】図２
2012225613.tif 000002
【特許請求の範囲】
【請求項１】
天井に設置される送風ユニット（１０１）において、
空気を内部に導入するための吸込口（１２１）が形成された吸込口形成部材（１２１ａ）と、
掃除機のノズルを挿入可能な挿入口（１２８）が形成された挿入口形成部材（１２８ａ）と、
前記空気に含まれる塵埃を捕集するためのフィルタ（１２４）と、
前記挿入口（１２８）から挿入された前記ノズルの内部空間と連通し且つ前記フィルタ（１２４）に接触或いは近接する少なくとも１つの開口（１２３ｂ、２０１ｂ）を有する吸引ボックス（１２３、２０１）と、
前記ノズルの挿入の動きに応じて前記吸引ボックス（１２３、２０１）が前記ノズルの挿入方向に沿って動くように前記吸引ボックス（１２３、２０１）を可動支持する支持部材と、
を備えた、
送風ユニット（１０１）。
【請求項２】
前記フィルタ（１２４）は、略鉛直に配置された、
請求項１に記載の送風ユニット（１０１）。
【請求項３】
前記支持部材は、前記吸引ボックス（１２３）をバネ機構により可動支持する、
請求項１又は２に記載の送風ユニット（１０１）。
【請求項４】
前記バネ機構のバネ付勢力は、前記吸引ボックス（１２３）を下方に押し下げるように働く、
請求項３に記載の送風ユニット（１０１）。
【請求項５】
前記支持部材は、前記吸引ボックス（２０１）をベルト（２０５）により可動支持する、
請求項１又は２に記載の送風ユニット（１０１）。
【請求項６】
前記挿入口（１２８）は、前記吸引ボックス（１２３、２０１）の平面視における重心の真下に配置された、
請求項１〜５のいずれかに記載の送風ユニット（１０１）。
【発明の詳細な説明】
【技術分野】
【０００１】
本発明は、送風ユニットに関する。
【背景技術】
【０００２】
人の手が届かない天井に設置されている設備機器のメンテナンスは、大変困難な作業である。例えば、空気調和機の室内機等の送風ユニットは、空気中の塵埃を捕集するフィルタの掃除というメンテナンス作業が要求される。天井に設置されたフィルタを直接手で取り外してメンテナンスを行なうには、脚立の上に立っての作業が要求されるが、これは面倒であり、また、脚立からの転落等の危険を伴う。長い柄のついた道具を用いてのメンテナンス作業も、道具を操るのが難しいという難点がある。そこで、例えば、特許文献１（特開平１１−２２６３３１号公報）に記載されているように、室内機の吸込口を覆うパネルに清掃手段を構成するフィルタブラシと、一対の支持レールとを設け、フィルタブラシが備える吸引口に掃除機のノズルを挿入し、掃除機で吸引しながらノズルを水平方向に動かすことによりフィルタを掃除することができる機構が提案されている。
【発明の概要】
【発明が解決しようとする課題】
【０００３】
しかし、上記のような機構では、ノズルを垂直に立てた状態で水平方向に動かす動作が要求されるが、このような動作は手に負担がかかり大変である。したがって、依然として天井に設置された送風ユニットのフィルタの掃除を簡単に行なうことが可能な送風ユニットの開発が求められている。
【０００４】
そこで、本発明の課題は、天井に設置されていてもフィルタの掃除を簡単に行なうことが可能な送風ユニットを提供することにある。
【課題を解決するための手段】
【０００５】
本発明の第１観点に係る送風ユニットは、天井に設置される送風ユニットであって、空気を内部に導入するための吸込口が形成された吸込口形成部材と、掃除機のノズルを挿入可能な挿入口が形成された挿入口形成部材と、空気に含まれる塵埃を捕集するためのフィルタと、吸引ボックスと、吸引ボックスを可動支持する支持部材とを備える。吸引ボックスは、挿入口から挿入された掃除機のノズルの内部空間と連通し且つフィルタに接触或いは近接する少なくとも１つの開口を有する。支持部材は、掃除機のノズルの挿入の動きに応じて吸引ボックスが当該ノズルの挿入方向に沿って動くように吸引ボックスを可動支持する。
【０００６】
本発明の第１観点に係る送風ユニットでは、掃除機のノズルを挿入口から挿入できる。そして、挿入された掃除機のノズルは、吸引ボックスの内部空間と連通し、吸引ボックスが有するフィルタに接触或いは近接する少なくとも１つの開口によりフィルタに付着している塵埃を吸い取ることができる。吸引ボックスは、支持部材により掃除機のノズルの挿入の動きに応じて吸引ボックスが当該ノズルの挿入方向に沿って動くように可動支持されているので、作業者は掃除機のノズルを挿入方向に沿って動かすだけでフィルタを掃除することができる。したがって、本発明の第１観点に係る送風ユニットでは、天井に設置されている送風ユニットであっても、簡単にフィルタの掃除ができる。
【０００７】
本発明の第２観点に係る送風ユニットは、第１観点に係る送風ユニットであって、フィルタは、略鉛直に配置されている。
【０００８】
本発明の第２観点に係る送風ユニットでは、フィルタが略鉛直に配置されている。したがって、掃除機のノズルを略鉛直方向に動かすだけで簡単にフィルタの掃除ができる。
【０００９】
本発明の第３観点に係る送風ユニットは、第１観点または第２観点に係る送風ユニットであって、支持部材は、吸引ボックスをバネ機構により可動支持する。
【００１０】
本発明の第３観点に係る送風ユニットでは、吸引ボックスがバネ機構により可動に支持されているので、当該バネ機構のバネ付勢力が働く方向に吸引ボックスを動かすには人の力を必要としない。つまり、フィルタを掃除するために吸引ボックスを掃除機のノズルで押しても、吸引ボックスはバネにより元の位置に戻る。したがって、掃除機のノズルを押すだけで簡単にフィルタの掃除ができる。
【００１１】
本発明の第４観点に係る送風ユニットは、第３観点に係る送風ユニットであって、バネ機構のバネ付勢力は、吸引ボックスを下方に押し下げるように働く。
【００１２】
本発明の第４観点に係る送風ユニットでは、掃除機のノズルにより略鉛直方向に吸引ボックスを押した場合、当該吸引ボックスは、当該バネ付勢力により下方に押し戻される。したがって、掃除機のノズルを略鉛直方向に押すだけで簡単にフィルタの掃除ができる。
【００１３】
本発明の第５観点に係る送風ユニットは、第１観点または第２観点に係る送風ユニットであって、支持部材は、吸引ボックスをベルトにより可動支持する。
【００１４】
本発明の第５観点に係る送風ユニットでは、掃除機のノズルを挿入方向に押すと吸引ボックスを動かすことができる。したがって、掃除機のノズルを挿入方向に沿って動かすだけで簡単にフィルタの掃除ができる。
【００１５】
本発明の第６観点に係る送風ユニットは、第１観点から第５観点のいずれかに係る送風ユニットであって、挿入口は、吸引ボックスの平面視における重心の真下に配置されている。
【００１６】
本発明の第６観点に係る送風ユニットでは、挿入口から挿入した掃除機のノズルにより吸引ボックスの重心を押すことができる。したがって、掃除機のノズルを挿入方向に沿って動かすだけで簡単にフィルタの掃除ができる。
【発明の効果】
【００１７】
本発明の第１観点に係る送風ユニットでは、天井に設置されている送風ユニットであっても、簡単にフィルタの掃除ができる。
【００１８】
本発明の第２観点に係る送風ユニットでは、掃除機のノズルを略鉛直方向に動かすだけで簡単にフィルタの掃除ができる。
【００１９】
本発明の第３観点に係る送風ユニットでは、掃除機のノズルを押すだけで簡単にフィルタの掃除ができる。
【００２０】
本発明の第４観点に係る送風ユニットでは、掃除機のノズルを略鉛直方向に押すだけで簡単にフィルタの掃除ができる。
【００２１】
本発明の第５観点及び第６観点に係る送風ユニットでは、掃除機のノズルを挿入方向に沿って動かすだけで簡単にフィルタの掃除ができる。
【図面の簡単な説明】
【００２２】
【図１】本発明にかかる送風ユニットの一実施形態にかかる空気調和機の冷媒回路。
【図２】本発明にかかる送風ユニットの一実施形態の全体図。
【図３】本発明にかかる送風ユニットの一実施形態にかかる吸込口。
【図４】本発明にかかる送風ユニットの一実施形態にかかる吸引ボックスおよび支持部材。
【図５】本発明にかかる送風ユニットの一実施形態にかかる吸引ボックスおよび支持部材。
【図６】本発明にかかる送風ユニットの一実施形態にかかる吸引ボックスおよび支持部材の動作例１。
【図７】本発明にかかる送風ユニットの一実施形態にかかる吸引ボックスおよび支持部材の動作例２。
【図８】本発明にかかる送風ユニットの一実施形態にかかる吸引ボックスおよび支持部材の変形例。
【発明を実施するための形態】
【００２３】
本発明の実施形態を以下に図面を参照しながら説明する。なお、本発明は、本実施形態に限られるものではない。
【００２４】
（１）送風ユニットの概略構成
以下では、本発明にかかる送風ユニットの１例として空気調和機１００の室内機１０１を取り上げて、本発明の実施形態を説明する。
【００２５】
図１は、空気調和機１００の冷媒回路を示している。空気調和機１００は、室内機１０１と、室外機１１０とから構成されており、冷房運転および暖房運転等を含む空気調和運転を行うことができる。室内機１０１内には、室内熱交換器１０２および室内ファン１０３等が収容されている。室外機１１０には、室外膨張弁１１１、室外熱交換器１１２、室外ファン１１３、四路切換弁１１４、および、圧縮機１１５、等が収容されている。室内熱交換器１０２、室外熱交換器１１２、圧縮機１１５、四路切換弁１１４および室外膨張弁１１１は、冷媒配管を介して接続され、冷媒回路を構成する。室内熱交換器１０２は、接触する空気との間で熱交換を行い、調和空気を生成する。また、室内熱交換器１０２は、冷房運転時には、冷媒の蒸発器として機能してケーシング内に取り込まれた空気を冷却し、暖房運転時には、冷媒の凝縮器として機能してケーシング内に取り込まれた空気を加熱する。室内ファン１０３は、空調対象空間内の空気を吸い込んで室内熱交換器１０２に通し、熱交換が行われた後の調和空気を空調対象空間内に排出する。なお、室内機１０１は、オフィスビル等の建物１内の天井に設置され、室外機１１０は、建物１の外に設置される。
【００２６】
（２）送風ユニットの詳細構成
本発明にかかる送風ユニットの１例である室内機１０１の構成について以下に図２〜８を参照しながらより詳細に説明することにする。
【００２７】
（２−１）各構成要素
図２は、建物内の天井に設置された状態の室内機１０１を示している。図２中の３は、天井板である。室内機１０１は、室内の空気を室内機１０１のケーシング内に吸い込むための吸込口１２１を天井に形成する吸込口形成部材を備える。具体的には、図３に示すような吸込口１２１が形成されたケーシング１２１ａが天井に設置される。また、室内機１０１は、吸い込んだ空気を室内に吹出すための吹出口１２２を天井に形成する吹出口形成部材を備える。具体的には、吹出口１２２が形成された図２に示すケーシング１２２ａが天井に設置される。吸込口１２１を形成するケーシング１２１ａは、室内ファン１０３及び室内熱交換器１０２を収容するケーシング１２６の内部空間と連通するようにダクト１２５により連結されている。吹出口１２２を有するケーシング１２２ａもまた当該ケーシング１２６の内部空間と連通するようにダクト１２７により連結されている。
【００２８】
図３は、吸込口１２１を形成するケーシング１２１ａの外観を示している。吸込口１２１は、格子状になった複数のスリットを有するパネル１２８ａにより覆われている。当該パネル１２８ａには、掃除機のノズルを吸込口１２１内、即ち室内機１０１内、に挿入することが可能な開口である挿入口１２８が形成されている。挿入口１２８には、２枚の扉からなる蓋が取り付けられている。当該蓋は、挿入口１２８に挿入されようとするノズルにより押されると２枚の扉が両開きに内側に開き、ノズルを挿入口１２８内に受け入れ、ノズルが挿入口１２８から引き出されると、ヒンジに取り付けられたバネの付勢力により閉じるように構成されている。
【００２９】
ケーシング１２１ａの内部を示す図２に戻ると、吸込口１２１の下流には、フィルタ１２４が設置されている。フィルタ１２４は、吸込口１２１から吸い込まれた空気に含まれる塵埃を捕集する。フィルタ１２４は、後述する理由により、略鉛直に配置されていると好適である。本実施形態では、フィルタ１２４は、吸込口形成部材であるケーシング１２１ａと室内ファン１０３や室内熱交換器１０２が格納されているケーシング１２６内部空間とを連通するダクト１２５への開口１２９を覆うように略鉛直に設置されている。フィルタ１２４に接触或いは近接するように設置されているのは、吸引ボックス１２３である。吸引ボックス１２３については、後で説明する。
【００３０】
なお、吸込口１２１が形成されたケーシング１２１ａのような吸込口形成部材と挿入口１２８が形成されたパネル１２８ａのような挿入口形成部材とは、１体のケーシングであってもよい。また、吹出口１２２が形成されたケーシング１２２ａのような吹出口形成部材と吸込口形成部材とは、１体のケーシングであってもよい。吸込口形成部材、吹出口形成部材及び挿入口形成部材が１体のケーシングを構成していてもよい。
【００３１】
また、フィルタ１２４は、プリーツ・タイプのフィルタであると好適である。プリーツ・タイプのフィルタは、通常のタイプのフィルタと比べて空気と接する面積がより大きく、空気中に含まれるより多くの塵埃を捕集することができる。しかし、その他のタイプのフィルタでも構わない。
【００３２】
（２−２）吸引ボックス
次に吸引ボックス１２３について図４〜７を参照しながら説明する。吸引ボックス１２３は、図４に示すように中が空洞の箱型の吸引ボックス１２３本体に、当該本体より小さく、空洞の、一面が解放された箱１２３ａ（以下、ノズルガイド１２３ａとする）を合体させたような形をしている。吸引ボックス１２３本体には、フィルタ１２４に接触或いは近接する位置に開口が設けられていると好適である。当該開口は、１つでもよいが、複数設けられていると好適である。具体的には、例えば、図４に示されている吸引ボックス１２３本体は、プリーツ・タイプのフィルタ１２４の形状に合わせて山型の凹凸状になったフィルタ１２４に面した面を有しており、当該面には、複数のスリット状の開口である吸引スリット１２３ｂが設けられている。なお、吸引ボックス１２３は、常にフィルタ１２４に近接した位置にある必要はなく、フィルタ１２４を清掃する際に後述するように掃除機のノズルにより押されてフィルタ１２４に近接した位置に移動できればよい。したがって、吸引スリット１２３ｂは、フィルタ１２４の清掃時にフィルタ１２４に接触あるいは近接するようになっていればよい。
【００３３】
また、吸引ボックス１２３本体には、ノズルガイド１２３ａとの接合面の中心に半球状の隆起部を有し、当該隆起部の中心に開口１２３ｃを有する。ノズルガイド１２３ａは、空洞の立方体又は直方体のような形状をしているが、吸引ボックス１２３本体との接合面に対向する側には面を有しておらず、ノズルガイド１２３ａの内部空間が外部に解放されている。ノズルガイド１２３ａは、当該開放されている部分から掃除機のノズル２をノズルガイド１２３ａの内部空間に受け入れ、そして、掃除機のノズル２の口と開口１２３ｃとが接合するようにガイドする。このように掃除機のノズル２の内部空間と吸引ボックス１２３本体の内部空間とを連通させた状態で掃除機の吸引機能を発揮させると、吸引ボックス１２３本体が有するフィルタ１２４に接触或いは近接した吸引スリット１２３ｂからフィルタ１２４に付着している塵埃を吸引して取り除くことが出来る。
【００３４】
吸引ボックス１２３は、支持部材により掃除機のノズル２の挿入方向に沿って動くことが可能なように支持部材により支持されていると好適である。さらには、図２に示すようにフィルタ１２４が略鉛直に設置されている場合は、吸引ボックス１２３は、フィルタ１２４の表面に沿って略鉛直方向に動くことが可能なように支持部材により支持されていると好適である。なお、フィルタ１２４は略鉛直に設置されていると好適である。建物内の床上に立っている作業員は、掃除機のノズル２を吸込口１２１内に略鉛直方向に挿入するだけで当該ノズル２を用いて吸引ボックス１２３を押してフィルタ１２４の掃除ができる。床上からは、略鉛直方向のほうが掃除機のノズル２を挿入口１２８に挿入しやすい。
【００３５】
掃除機のノズル２を挿入する挿入口１２８は、吸引ボックス１２３の平面視における重心の真下に配置されていると好適である。これにより、掃除機のノズル２により吸引ボックス１２３の重心を押せるので、吸引ボックス１２３をより動かしやすくなる。
【００３６】
具体的には、例えば、吸引ボックス１２３は、図４〜６に示されているような支持部材により可動に支持されているのが好ましい。図４に示されているように、吸引ボックス１２３本体のフィルタ１２４に面している面を正面、ノズルガイド１２３ａが接合されている面を底面とした場合に側面にあたる２つの面を有するが、当該２つの側面は、正面よりもさらに上方に伸びている。当該２つの側面には、各４つのギア１３２が取り付けられている。当該ギア１３２は、各側面において２つずつ計４つが上段と下段との２段に分けて配置されている。上段の２つのギア１３２は、正面よりも上方に伸びた側面の部分に配置されており、下段の２つのギア１３２は、正面の上辺よりも下方に位置した側面の部分に配置されている。正面よりも上方に伸びている側面の部分には、１本の連結シャフト１３１ａが吸引ボックス１２３本体の上面の上方を横切り、両側面を貫通するように取り付けられている。各側面の上段の２つのギア１３２のうち正面に近い側に位置するギア１３２は、それぞれ当該連結シャフト１３１ａに通され、当該連結シャフト１３１ａ両端付近に固定された状態で取り付けられている。連結シャフト１３１ａは、吸引ボックス１２３本体に回転自在に取り付けられており、当該連結シャフト１３１ａが回転すると当該連結シャフト１３１ａに取り付けられている２つのギア１３２が回転するようになっている。他のギア１３２は、各側面から突き出た状態で回転しないように固定されて取り付けられている３つのシャフト１３１ｂに通され、回転自在に取り付けられている。各側面から突き出たこれらのギア１３２は、図４及び図５に示されているようにラック１３３の中にはめられている。
【００３７】
ラック１３３は、図５及び図６に示されているように、ケーシング１２１ａの内壁のうちフィルタ１２４が設置されているダクト１２５への開口１２９が形成された面の鉛直辺２つそれぞれに隣接する内壁面２つに１つずつ、フィルタ１２４の表面に並行な状態で取り付けられている。ラック１３３の長手方向に直交する断面は、コの字型（あるいは、コの字を逆にした形）をしている。２つのラック１３３は、当該コの字の開口している部分が互いに向き合うように設置されている。ラック１３３は、当該コの字の上辺と底辺にあたる部分の内側にギアと噛み合う歯を備えている。ラック１３３の当該歯は、吸引ボックス１２３の側面に取り付けられているギア１３２と接触し、噛み合っている。吸引ボックス１２３に略鉛直方向の力を加えるとギア１３２の歯がラック１３３の歯と噛み合ってギア１３２が回転するとともに吸引ボックス１２３は、ラック１３３に沿って移動する。
【００３８】
図６及び図７に示されているように、吸引ボックス１２３本体の上面には、レバー１３４が常に接触している。レバー１３４の一端は、ケーシング１２１ａの内壁面に取り付けられている。当該内壁面は、フィルタ１２４が覆っているダクト１２５への開口１２９に対向する面である。レバー１３４の当該面への取り付けは、当該面に取り付けられた端を軸に円弧を描いて上下に可動なようにボルトとナットにより施されている。また、レバー１３４は、片方の側面にバネ１３５の一端をかけるためのフックを有する。当該フックは、レバー１３４のケーシング１２１ａの内壁に取り付けられている端とレバー１３４を長手方向に二等分する中心点との間に位置する。当該フックに取り付けられたバネ１３５の他端は、当該レバー１３４が取り付けられているのと同じケーシング１２１ａ内壁面に取り付けられたフックに取り付けられている。当該内壁面に取り付けられたフックは、当該内壁面の当該レバー１３４が取り付けられている位置よりも下方に位置する。当該バネ１３５の付勢力は、レバー１３４を介して吸引ボックス１２３の上面を下方に押さえるように働く。これにより、掃除機のノズル２により挿入口１２８から離れるように押された吸引ボックス１２３は、掃除機のノズル２を挿入方向に押す力が弱まると、上面を押すレバーにより挿入口１２８に向かって押し戻される。したがって、フィルタ１２４を掃除する作業員は、挿入口１２８から挿入した掃除機のノズル２を挿入方向に押すときにのみ力を加えればよい。
【００３９】
（３）特徴
（３−１）特徴１
上記実施形態にかかる送風ユニットは、天井設置型の空気調和機１００の室内機１０１であり、吸込口１２１が形成されたケーシング１２１ａと、挿入口１２８が形成されたパネル１２８ａと、フィルタ１２４と、吸引ボックス１２３と、当該吸引ボックス１２３を可動支持する連結シャフト１３１ａ、シャフト１３１ｂ、ギア１３２、ラック１３３、レバー１３４及びバネ１３５、等の支持部材を備えている。吸込口１２１は、建物内の空気を室内機１０１内部に吸込む。挿入口１２８には、掃除機のノズル２が挿入される。フィルタ１２４は、吸込口１２１の下流に設置されており、吸い込んだ空気に含まれている塵埃を捕集する。吸引ボックス１２３は、フィルタ１２４に接触或いは近接する少なくとも１つ以上のスリット状の開口である吸引スリット１２３ｂを有する。挿入口１２８より挿入された掃除機のノズル２の口は、吸引ボックス１２３本体のノズルガイド１２３ａとの接合面に設けられた開口１２３ｃと接合することにより、吸引ボックス１２３の内部空間と連通する。この状態で、掃除機の吸引機能を発揮させると、フィルタ１２４に接触或いは近接する吸引スリット１２３ｂからフィルタ１２４に付着している塵埃が吸引され取り除かれる。吸引ボックス１２３は、連結シャフト１３１ａ、シャフト１３１ｂ、ギア１３２、ラック１３３、レバー１３４及びバネ１３５、等の支持部材により掃除機のノズル２の挿入方向に沿って移動可能な状態で支持されている。これにより、掃除機のノズル２を挿入口１２８から吸込口１２１内に挿入して、ノズル２を当該ノズル２の挿入方向に沿って動かすだけで、フィルタ１２４を取り外すこと無く、フィルタ１２４を掃除することが可能となっている。したがって、天井に設置されている送風ユニットであっても、簡単にフィルタ１２４の掃除ができるようになっている。
【００４０】
（３−２）特徴２
上記実施形態にかかる送風ユニットは、天井設置型の空気調和機１００の室内機１０１であって、フィルタ１２４は、略鉛直に設置されている。具体的には、吸込口１２１が形成されたケーシング１２１ａと室内ファン１０３及び室内熱交換器１０２、等を収容しているケーシング１２６とを連結するダクト１２５への開口１２９を覆うように略鉛直に設置されている。これにより、掃除機のノズル２を略鉛直方向に挿入し、押せば、吸引ボックス１２３をフィルタ１２４の表面に沿って移動させることができ、当該吸引ボックス１２３を介してフィルタ１２４に付着した塵埃を吸引除去することが可能となっている。したがって、掃除機のノズル２を略鉛直方向に動かすだけで簡単にフィルタ１２４の掃除ができるようになっている。
【００４１】
（３−３）特徴３
上記実施形態にかかる送風ユニットは、天井設置型の空気調和機１００の室内機１０１であって、吸引ボックス１２３を可動支持する支持部材は、レバー１３４及びバネ１３５からなるバネ機構を備えている。レバー１３４は、バネ付勢力により吸引ボックス１２３を挿入口１２８の方に押し戻すように構成されている。これにより、掃除機のノズル２により吸引ボックス１２３が挿入口１２８から遠ざかる方向に押されても、レバー１３４により挿入口１２８の方に押し戻されるようになっている。したがって、掃除機のノズル２を押すだけで簡単にフィルタ１２４の掃除ができるようになっている。また、手動で容易に吸引ボックス１２３を動かすことができるので、電源を吸込口１２１まで配線しなくてもよい。
【００４２】
（３−４）特徴４
上記実施形態にかかる送風ユニットは、天井設置型の空気調和機１００の室内機１０１であって、レバー１３４は、バネ１３５のバネ付勢力により吸引ボックス１２３の上面に常に接触し、吸引ボックス１２３を下方に押し下げる力を働かせるように構成されている。即ち、レバー１３４及びバネ１３５からなるバネ機構のバネ付勢力は、吸引ボックス１２３を下方に押し下げるように働いている。これにより、掃除機のノズル２により吸引ボックス１２３が上向きに押されても、レバー１３４により下方に押し戻されるようになっている。したがって、掃除機のノズル２を略鉛直方向に押すだけで簡単にフィルタ１２４の掃除ができるようになっている。
【００４３】
（３−５）特徴５
上記実施形態にかかる送風ユニットは、天井設置型の空気調和機１００の室内機１０１であって、掃除機のノズル２を挿入するための挿入口１２８は、吸引ボックス１２３の平面視における重心の真下に配置されている。これにより、挿入口１２８から挿入した掃除機のノズル２により吸引ボックス１２３の重心を押せるので、吸引ボックス１２３を下方から押して動かしやすくなっている。したがって、掃除機のノズル２を挿入方向に沿って動かすだけで簡単にフィルタ１２４の掃除ができるようになっている。
【００４４】
（４）変形例
（４−１）
上記実施形態では、吸引ボックス１２３は、レバー１３４及びバネ１３５からなるバネ機構を含む支持部材により可動支持されている。しかし、他の実施形態においては、他の構成を有する支持部材により吸引ボックス１２３を可動支持しても良い。例えば、図８に示されているようなベルト機構からなる支持部材により吸引ボックス１２３を可動支持してもよい。この場合、吸引ボックス１２３及びこれを可動支持する支持部材の構成は、具体的には次のように上記実施形態から変形される。
【００４５】
図８に示されているように本変形例の吸引ボックス２０１は、吸引ボックス２０１本体の各側面にギア１３２の代わりに板状の突起２０１ｄ（以下、ベルト固定部材２０１ｄとする）各２枚を備えている。ノズルガイド２０１ａ、吸引スリット２０１ｂ及び開口２０１ｃは、上述のノズルガイド１２３ａ、吸引スリット１２３ｂ及び開口１２３ｃと同じ構成である。したがって、本変形例の吸引ボックス２０１は、各側面にベルト固定部材２０１ｄを備えている以外は、上記実施形態にかかる吸引ボックス１２３と同じ構成を有しているので説明を省略する。
【００４６】
吸引ボックス２０１は、上記各２枚のベルト固定部材２０１ｄによりタイミングベルト２０５を両側から挟み、ネジ等により締め付けることにより、２つのタイミングベルト２０５に取り付けられている。タイミングベルト２０５は、ケーシング１２１ａのダクト１２５への開口１２９が形成された面の鉛直辺２つに隣接する２つの内壁面に取り付けられた連結シャフト２０２ａ及びシャフト２０２ｂに取り付けられたギア２０３及び２０４にかけられている。連結シャフト２０２ａは、ケーシング１２１ａの対向する当該内壁面２つに渡って当該開口１２９より上方に架けられている。当該連結シャフト２０２ａの両端付近には前述のギア２０３が取り付けられている。また、当該各内壁面のダクト１２５への開口１２９よりも下方に位置する部分には、シャフト２０２ｂが各１つ当該内壁面より突き出るように取り付けられており、各内壁面より突き出たシャフト２０２ｂそれぞれの先端付近には、前述のギア２０４が取り付けられている。また、当該各内壁面には、タイミングベルト２０５と並行するようにガイド２０６が１つずつ取り付けられている。各ガイド２０６は、その長手方向に沿ってガイド溝２０６ａを有する。２つのガイド２０６は、お互いのガイド溝２０６ａが向き合うように設置されている。吸引ボックス２０１の各側面から突き出ているベルト固定部材２０１ｄそれぞれの先端は、当該ガイド溝２０６ａ内に挿入されている。吸引ボックス２０１は、挿入口１２８から挿入された掃除機のノズル２により押されることによりガイド溝２０６ａに沿って上方に移動する。しかし、掃除機のノズル２による上方に押す力が弱まると、タイミングベルト２０５に取り付けられた吸引ボックス２０１自体の重みにより吸引ボックス２０１が取り付けられている側のタイミングベルト２０５が下に引っ張られる。このとき連結シャフト２０２ａに取り付けられているギア２０３及びシャフト２０２ｂに取り付けられているギア２０４がタイミングベルト２０５の動きにつられて回転するとともに吸引ボックス２０１は２つのガイド２０６のガイド溝２０６ａに沿って下方に下がる。これにより、掃除機のノズル２により挿入口１２８から離れるように押された吸引ボックス２０１は、掃除機のノズル２を挿入方向に押す力が弱まると、自重により挿入口１２８に向かって移動する。したがって、フィルタ１２４を掃除する作業員は、挿入口１２８から挿入した掃除機のノズル２を挿入方向に押すときにのみ力を加えればよい。また、手動で容易に吸引ボックス２０１を動かすことができるので、電源を吸込口１２１まで配線しなくてもよい。
【００４７】
本変形例にかかる空気調和機１００の室内機１０１（送風ユニット）では、掃除機のノズル２を挿入方向に沿って動かすだけで簡単にフィルタ１２４の掃除ができる。
【００４８】
（４−２）
上記実施形態では、フィルタ１２４は、吸込口形成部材であるケーシング１２１ａと室内ファン１０３や室内熱交換器１０２が格納されているケーシング１２６内部空間とを連通するダクト１２５への開口１２９を覆うように設置されている。吸引ボックス１２３或いは２０１は、ケーシング１２１ａ内に配置されている。吸込口１２１を覆うパネル１２８ａには、掃除機のノズル２を挿入するための開口である挿入口１２８が形成されている。しかし、他の実施形態では、フィルタ１２４は、室内機１０１内部の吸込口１２１と室内ファン１０３との間であれば、他の位置に設置されてもよい。例えば、フィルタ１２４は、ダクト１２５内に、フィルタ１２４の全周がダクト１２５の内側の壁の全周に接するように鉛直に設置されてもよい。この場合、吸引ボックス１２３或いは２０１は、フィルタ１２４に近接して、ダクト１２５内のフィルタ１２４が設置されている位置よりも吸込口１２１側に設置される。挿入口１２８は、ダクト１２５の壁の吸引ボックス１２３或いは２０１の平面視における重心の真下に位置する部位に形成される。
【産業上の利用可能性】
【００４９】
本発明は、天井設置型の空気調和機の室内機等の送風ユニットの清掃を簡単にできるようにするのに有用である。
【符号の説明】
【００５０】
１                  建物
２                  掃除機のノズル
３                  天井板
１０１              空気調和機の室内機（送風ユニット）
１２１              吸込口
１２１ａ            ケーシング（吸込口形成部材）
１２２              吹出口
１２３、２０１      吸引ボックス
１２３ｂ、２０１ｂ  吸引スリット（開口）
１２４              フィルタ
１２８              挿入口
１２８ａ            パネル（挿入口形成部材）
１３１ａ            連結シャフト（支持部材）
１３１ｂ            シャフト（支持部材）
１３２              ギア（支持部材）
１３３              ラック（支持部材）
１３４              レバー（支持部材）
１３５              バネ（支持部材）
２０２ａ            連結シャフト（支持部材）
２０２ｂ            シャフト（支持部材）
２０３、２０４      ギア（支持部材）
２０５              タイミングベルト（支持部材）
２０６              ガイド（支持部材）
【先行技術文献】
【特許文献】
【００５１】
【特許文献１】特開平１１−２２６３３１号公報
【図１】
2012225613.tif 000003
【図２】
2012225613.tif 000004
【図３】
2012225613.tif 000005
【図４】
2012225613.tif 000006
【図５】
2012225613.tif 000007
【図６】
2012225613.tif 000008
【図７】
2012225613.tif 000009
【図８】
2012225613.tif 000010